(57)【要約】【課題】室温調節用電気機器が無駄なエネルギーを消費していることをユーザに報知し、窓や扉の閉鎖や当該機器の運転停止を促す。【解決手段】警報装置１は、室温調節用電気機器３１が設置された設置領域と外部領域との間の閉鎖状態を解除する部位の開閉を検知する開閉検出装置２２から受信される開放または閉鎖を示す信号と、消費電力測定装置２１から受信される室温調節用電気機器３１消費電力量を示す消費電力情報とに基づいて警報出力手段１１から警報を出力する。運転状態判定部２は、消費電力測定装置２１から受信した消費電力情報に基づいて室温調節用電気機器３１の運転状態を判定して運転状態を示す信号を出力する。警報制御部３は、開閉検出装置２２から開放を示す信号が受信され、かつ、運転状態判定部２が出力する運転状態を示す信号が運転中の状態を示している場合に、警報出力手段１１から警報を発することに決定する。【選択図】図７
2010139099.tif 000002
【特許請求の範囲】
【請求項１】
室温調節用電気機器が設置された設置領域とその領域の外部である外部領域との間の閉鎖状態を解除する部位の開閉を検知する開閉検出装置から受信される開放または閉鎖を示す信号と、前記室温調節用電気機器の消費電力量を計測する消費電力測定装置から受信される消費電力量を示す消費電力情報とに基づいて警報出力手段から警報を出力する警報装置であって、
前記消費電力測定装置から受信した消費電力情報に基づいて前記室温調節用電気機器の運転状態を判定して運転状態を示す信号を出力する運転状態判定部と、
前記開閉検出装置から開放を示す信号が受信され、かつ、前記運転状態判定部が出力する運転状態を示す信号が運転中の状態を示している場合に、前記警報出力手段から警報を発することに決定する警報制御部とを
備えたことを特徴とする警報装置。
【請求項２】
警報制御部は、開閉検出装置から開放を示す信号が受信されたときに、運転状態判定部から運転状態を示す信号を入力する
請求項１記載の警報装置。
【請求項３】
警報制御部は、運転状態判定部から運転状態を示す信号を入力したときに、開閉検出装置からの信号が開放を示しているか否か確認する
請求項１記載の警報装置。
【請求項４】
警報制御部は、開閉検出装置から所定時間継続して開放を示す信号が送信されていることを確認した場合に、警報を発することに決定する
請求項１から請求項３のうちのいずれか１項に記載の警報装置。
【請求項５】
警報制御部は、開閉検出装置から所定期間内に所定回開放を示す信号を受信した場合に、警報を発することに決定する
請求項１から請求項３のうちのいずれか１項に記載の警報装置。
【請求項６】
室温調節用電気機器が設置された設置領域とその領域の外部である外部領域との間の閉鎖状態を解除する部位の開閉を検知して開放または閉鎖を示す信号を送信する開閉検出装置と、
前記室温調節用電気機器の消費電力量を計測し、消費電力量を示す消費電力情報を送信する消費電力測定装置と、
前記消費電力測定装置から受信した消費電力情報に基づいて前記室温調節用電気機器の運転状態を判定して運転状態を示す信号を出力する運転状態判定部と、前記開閉検出装置から開放を示す信号が受信され、かつ、前記運転状態判定部が出力する運転状態を示す信号が運転中の状態を示している場合に、警報出力手段から警報を発することに決定する警報制御部とを含む警報装置とを
備えたことを特徴とする警報システム。
【請求項７】
警報制御部は、開閉検出装置から開放を示す信号が受信されたときに、運転状態判定部から運転状態を示す信号を入力する
請求項６記載の警報システム。
【請求項８】
室温調節用電気機器が運転中であるときに所定の条件が成立すると警報出力手段から警報を出力する警報方法であって、
室温調節用電気機器が設置された設置領域とその領域の外部である外部領域との間の閉鎖状態を解除する部位の開閉を検知するとともに、前記室温調節用電気機器の消費電力量を計測し、
前記部位が開放されていることを検知し、かつ、前記室温調節用電気機器の消費電力量に基づいて前記室温調節用電気機器が運転中の状態であると判定した場合に、前記警報出力手段から警報を発することに決定する
ことを特徴とする警報方法。
【請求項９】
閉鎖状態を解除する部位の開閉を検知したときに、室温調節用電気機器が運転中の状態であるか否か判定する
請求項８記載の警報方法。
【発明の詳細な説明】
【技術分野】
【０００１】
本発明は、室温調節用電気機器が無駄なエネルギーを消費している状況をユーザに警告する警報装置、警報システムおよび警報方法に関する。
【背景技術】
【０００２】
家庭用電気機械器具（家電）は高性能化・省電力化が進んでいる。しかし、電源のオン／オフの切り替えをユーザに依存する家電は、ユーザが気付かないところで不要なエネルギーを消費していることがある。
【０００３】
例えば、エアコンディショナー（エアコン）は、主に室内の空気調整を目的として動作する。窓や扉を開放している部屋でエアコンを動作させること、または、エアコンを動作させていることを忘れて窓や扉を長時間開放することは、エアコンの空気調整効率を低下させ、不要なエネルギーを消費させる。さらに、エアコンの空気調整効果も下がり、ユーザが本来得られるはずの快適性を損なわせる。
【０００４】
不要なエネルギーの消費を抑えるシステムの一例として、エアコン制御システムが特許文献１に記載されている。特許文献１に記載されたエアコン制御システムは、窓や扉が開放されている場合には、エアコンの運転動作に対して、無駄な電力を消費するので無効な動作だとユーザに報知する。
【０００５】
【特許文献１】特開２００５−２７３９３７号公報（段落００１０−００１１、および段落００１８−００２１）
【発明の開示】
【発明が解決しようとする課題】
【０００６】
特許文献１に記載されたエアコン制御システムは、エアコンの機器自体に操作手段や制御手段などの機能を実装し、当該機器が自ら制御を行うことによって無駄なエネルギー消費を抑えることを目的としている。したがって、ユーザは、そのような機能が実装されているエアコンを入手する必要があるが、エアコンの買い替えはユーザの負担を増やす恐れがある。
【０００７】
そこで、本発明は、室温調節用電気機器自体に追加機能を実装することなく、室温調節用電気機器が無駄なエネルギーを消費していることをユーザに報知して、窓や扉の閉鎖や室温調節用電気機器の運転停止を促す警報装置、警報システムおよび警報方法の提供を目的とする。
【課題を解決するための手段】
【０００８】
本発明による警報装置は、室温調節用電気機器が設置された設置領域とその領域の外部である外部領域との間の閉鎖状態を解除する部位の開閉を検知する開閉検出装置から受信される開放または閉鎖を示す信号と、室温調節用電気機器の消費電力量を計測する消費電力測定装置から受信される消費電力量を示す消費電力情報とに基づいて警報出力手段から警報を出力する警報装置であって、消費電力測定装置から受信した消費電力情報に基づいて室温調節用電気機器の運転状態を判定して運転状態を示す信号を出力する運転状態判定部と、開閉検出装置から開放を示す信号が受信され、かつ、運転状態判定部が出力する運転状態を示す信号が運転中の状態を示している場合に、警報出力手段から警報を発することに決定する警報制御部とを備えたことを特徴とする。
【０００９】
本発明による警報システムは、室温調節用電気機器が設置された設置領域とその領域の外部である外部領域との間の閉鎖状態を解除する部位の開閉を検知して開放または閉鎖を示す信号を送信する開閉検出装置と、室温調節用電気機器の消費電力量を計測し、消費電力量を示す消費電力情報を送信する消費電力測定装置と、消費電力測定装置から受信した消費電力情報に基づいて室温調節用電気機器の運転状態を判定して運転状態を示す信号を出力する運転状態判定部と、開閉検出装置から開放を示す信号が受信され、かつ、運転状態判定部が出力する運転状態を示す信号が運転中の状態を示している場合に、警報出力手段から警報を発することに決定する警報制御部とを含む警報装置とを備えたことを特徴とする。
【００１０】
本発明による警報方法は、室温調節用電気機器が運転中であるときに所定の条件が成立すると警報出力手段から警報を出力する警報方法であって、室温調節用電気機器が設置された設置領域とその領域の外部である外部領域との間の閉鎖状態を解除する部位の開閉を検知するとともに、室温調節用電気機器の消費電力量を計測し、部位が開放されていることを検知し、かつ、室温調節用電気機器の消費電力量に基づいて室温調節用電気機器が運転中の状態であると判定した場合に、警報出力手段から警報を発することに決定することを特徴とする。
【発明の効果】
【００１１】
本発明によれば、室温調節用電気機器自体に追加機能を実装することなく、室温調節用電気機器が無駄なエネルギーを消費していることをユーザに報知して、窓や扉の閉鎖や室温調節用電気機器の運転停止を促す警報装置、警報システムおよび警報方法を提供することができる。
【発明を実施するための最良の形態】
【００１２】
実施形態１．
図１は、本発明による警報システムの第１の実施形態（実施形態１）の構成を示すブロック図である。図１を参照して、第１の実施形態の構成を説明する。図１に示された警報システム１００は、警報装置２００、窓センサ３００および電力計測アダプタ４００を備えている。
【００１３】
窓センサ３００は、無線通信または有線通信による通信機能を備え、窓や扉の開閉を検知するセンサである。窓センサ３００は、窓５００の開閉を検知すると、開放または閉鎖を示すセンサ通知を、通信機能を利用して警報システム１００に送信する。具体的には、閉鎖状態から開放状態に変化したことを検出すると開放を示すセンサ通知を送信する。また、開放状態から閉鎖状態に変化したことを検出すると閉鎖を示すセンサ通知を送信する。窓５００は、警報システム１００が監視する対象である。監視対象は複数であってもよく、その場合には、窓センサ３００は監視対象となる窓の数に対応して複数存在してもよい。また、窓センサ３００に代えて、または窓センサ３００に加えて、扉の開閉を検知する扉センサを設置してもよい。
【００１４】
電力計測アダプタ４００は、無線通信または有線通信による通信機能を備え、消費電力量を計測する機器である。電力計測アダプタ４００は、エアコン６００の電源系統に設置される。電力計測アダプタ４００は、エアコン６００の消費電力量を計測する。電力計測アダプタ４００は、計測した消費電力量をエアコン６００の消費電力情報として、通信機能を利用して警報装置２００に送信する。なお、電力計測アダプタ４００として、既存の通信機能を有した電力計を用いてもよい。
【００１５】
図２は、図１に示された警報装置の構成を示すブロック図である。図２を参照して、図１に示された警報装置の構成を説明する。
【００１６】
警報装置２００は、センサ通知検知部２０１、運転状態判断部２０２、ガードタイマ２０３、警告表示部２０４、警報発報部２０５および警報制御部２０６を備えている。
【００１７】
センサ通知検知部２０１は、窓センサ３００から窓５００の開閉を示すセンサ通知を受信する。センサ通知検知部２０１は、受信したセンサ通知の内容に応じて、開放通知または閉鎖通知を出力する。
【００１８】
運転状態判断部２０２は、消費電力情報収集部２０２１および電力しきい値設定部２０２２を含む。運転状態判断部２０２において、消費電力情報収集部２０２１は電力計測アダプタ４００からの消費電力情報を収集する。電力しきい値設定部２０２２には、電力しきい値が予め設定されている。運転状態判断部２０２は、消費電力情報収集部２０２１が収集した消費電力情報と電力しきい値設定部２０２２で設定された電力しきい値を用いて、エアコン６００の運転状態（運転中／待機中）を判断する。なお、電力しきい値２０２２には、ユーザによって電力しきい値が設定されるようにしてもよい。
【００１９】
ガードタイマ２０３は、窓や扉を短時間開放した時に警報を発してしまう誤動作を防止するために使用されるタイマである。ガードタイマ２０３には、窓や扉の短時間の開放による誤警報を回避するための時間であるガードタイムが設定されている。ガードタイムは、所定の時間を予め設定しておいてもよいし、ユーザが任意の時間を設定可能としてもよい。
【００２０】
警告表示部２０４は、警告を表示して視覚的にユーザに注意を促す。警告表示部２０４は、または赤色灯の点灯を行うことによってもよい。警報発報部２０５は、警報としての警報音を出力して注意を促す。警報制御部２０６は、警告および警報の制御を行う。警報制御部２０６は、警告の表示と警報の出力とを行っているときに、ユーザによる操作からの警報の停止要求またはセンサ通知検知部２０１からの閉鎖通知を入力すると、警告の表示と警報の出力とを停止する。
【００２１】
図３は、図１に示された警報システムが警報を発する処理を示すフローチャートである。図３を参照して、警報システム１００が警報を発する処理を説明する。
【００２２】
窓センサ３００は、窓５００が開放されたことを検知すると、警報装置２００に開放を示すセンサ通知を送信する。警報装置２００において、センサ通知検知部２０１が窓センサ３００から開放を示すセンサ通知を受信すると（ステップＳ３０１）、運転状態判断部２０２がエアコンの運転状態を判断する（ステップＳ３０２）。
【００２３】
エアコンの運転状態とは、エアコンの消費電力量から推測されるエアコンの状態であり、「運転中」の状態と「待機中」の状態とがある。運転状態を判断する際に、運転状態判断部２０２において、消費電力情報収集部２０２１は、電力計測アダプタ４００にエアコン６００の消費電力情報の送信を要求する。電力計測アダプタ４００は、計測しているエアコン６００の消費電力量を示す消費電力情報を運転状態判断部２０２に送信する。運転状態判断部２０２において、消費電力情報収集部２０２１は消費電力情報を受信する。運転状態判断部２０２は、電力しきい値設定部２０２２に設定された電力しきい値と、消費電力情報収集部２０２１が受信した消費電力情報が示す消費電力量とを比較する。
【００２４】
図４は、電力しきい値の設定の一例を示す説明図である。図４に示された電力しきい値は、待機電力よりも大きい値に設定される。運転状態判断部２０２は、消費電力量が設定した電力しきい値以上であれば、エアコンは運転中であると判断し、消費電力量が設定した電力しきい値未満であれば、エアコンは待機中であると判断する。
【００２５】
ステップＳ３０２において、エアコンが待機中であると判断された場合には、警報を発する必要はないので、警報装置２００は初期状態に戻る。ステップＳ３０２において、エアコンが運転中であると判断された場合には、ガードタイマ２０３は、ガードタイムのカウントを開始する（ステップＳ３０３）。
【００２６】
図５は、ガードタイマの動作の一例を示すフローチャートである。図５を参照して、ステップＳ３０３に示されたガードタイムのカウントの動作を説明する。ガードタイマ２０３は、設定されたガードタイムの時間のカウントを開始する（ステップＳ５０１）。窓５００が閉められると、窓センサ３００は、閉鎖を示すセンサ通知を送信する。センサ通知検知部２０１は、窓センサ３００から閉鎖を示すセンサ通知を受信すると閉鎖通知を出力する。ガードタイマ２０３がカウントを行っている最中に、閉鎖通知が入力された場合には、窓の開放が一時的な開放であったとして、カウントを停止し（ステップＳ５０２）、警報装置２００は初期状態に戻る。設定されたガードタイム分のカウントが終了した場合には（ステップＳ５０３）、窓の開放が一時的な開放ではないとして、運転状態判断部２０２がエアコンの運転状態を再度判断する（ステップＳ３０４）。
【００２７】
ステップＳ３０４において、エアコンの運転状態について、ステップＳ３０２と同じ処理を行って、エアコンが運転中の状態であるか待機中の状態であるかを判断する。エアコンが待機中の状態であると判断した場合には、警報装置２００は初期状態に戻る。エアコンが運転中の状態であると判断した場合には、警報制御部２０６が警報を発する制御を行う（ステップＳ３０５）。その結果、ユーザに窓が開放されていることおよびエアコンが運転中であることを警告するために、警告表示部２０４で警告を表示し警報発報部２０５で警報を発する（ステップＳ３０６）。
【００２８】
なお、運転状態判断部２０２が、室温調節用電気機器が運転中であると判断している際に、センサ通知検知部２０１からの開放通知または閉鎖通知の入力回数が、所定の時間内に所定の回数を超えたことを確認した場合に、警報制御部２０６が、警報を発するようにしてもよい。そのような制御によれば、ユーザが換気等のために一旦窓を開放したようなときに警報が発せられることが防止される。
【００２９】
ステップＳ３０５の判断は、警報が発せられているときに、ユーザからの解除操作による警報停止要求またはセンサ通知検知部２０１からの閉鎖通知を入力すると、警報制御部２０６が警報を停止し、警報装置２００は初期状態に戻ることを示す。
【００３０】
このような警報装置を備えた警報システムにおいて、警報装置は、電力計測アダプタで計測した消費電力量から直接運転状態を知ることができないエアコンの運転状態を判断し、窓センサからの窓の開閉情報もあわせて、警報を発するかどうかを判断する。そして、エアコンが運転中である状態にもかかわらず窓が一定時間以上開放されている場合に限ってユーザに警報を発する。その結果、エアコンの空気調整効率および空気調整効果を低下させる状況をユーザに警告することができ、無駄なエネルギーの消費を抑えるように促すことができる。
【００３１】
なお、警報を発してから所定の時間が過ぎてもユーザからの解除操作が行われない場合は、警報装置２００の警報制御部２０６は、一定時間ごとに警報を発するなど、警報を発するパターンを変更してもよい。このような警報装置を備えた警報システムでは、ユーザが警報に気付かないと推測される状況（例えば、窓を開放したまま留守にしているような状況。）では、警報パターンを変更して無駄な消費電力を抑えることができる。
【００３２】
また、本実施形態の警報システム１００において、警報装置２００は、警告表示部２０４と警報発報部２０５のうちのいずれか一方のみを備えていてもよい。このような警報装置を備えた警報システムでは、警報装置の構成部品が削減されるので、警報装置の大きさを小さくすることができる。
【００３３】
実施形態２．
図６は、本発明による警報システムの第２の実施形態（実施形態２）の構成を示すブロック図である。図２に示された警報システム１０１と図１に示された警報システム１００とは異なり、運転状態の判断対象がエアコン６００から電気ストーブ７００になっている。警報装置１００の構成および機能は、第１の実施形態の警報装置と同じである。
【００３４】
第１の実施形態ではエアコン６００を警報制御の対象としたが、例えば、電気ストーブ７００も室内の空気の調整（主に暖房）を目的とした室温調節用電気機器であり、本発明の警報制御の対象とすることができる。窓や扉を開放して冷たい外気が入り込む部屋で暖房用に電気ストーブ７００を動作させても、室温を効率よく上げることができず、不要なエネルギーを消費させることになる。
【００３５】
電力計測アダプタ４００は、電気ストーブ７００の電源系統に設置されて、計測している電気ストーブ７００の消費電力量を示す消費電力情報を運転状態判断部２０２に送信する。運転状態判断部２０２は、電力しきい値設定部２０２２に設定された電力しきい値と、消費電力情報収集部２０２１が受信した消費電力情報が示す消費電力量とを比較して電気ストーブ７００の運転状態を判断する。警報制御部２０６は、運転状態判断手段判断部２０２が判断する電気ストーブ７００の運転状態と窓センサ３００が検知する窓の開閉情報とに基づいて警報を発するかどうかを判断する。そして、警報制御部２０６は、電気ストーブ７００が運転中の状態であるにもかかわらず窓が一定時間以上開放されている場合に限ってユーザに警報を発する制御を行う。
【００３６】
このような警報システムでは、電気ストーブによる暖房効果が薄いと推測できる状況をユーザに警告することができ、不要なエネルギーの消費も抑えるように促すことができる。
【００３７】
なお、電気ストーブ７００の代わりに、空気清浄機または加湿器などの空気調整機能を有する室温調節用電気機器を警報制御の対象としてもよい。
【００３８】
また、上記の各実施形態では、窓センサ３００から開放を示すセンサ通知が受信された場合に、運転状態判断部２０２がエアコンの運転状態を判断したが、運転状態判断部２０２がエアコンの運転状態が運転中の状態であると判断した場合に、窓センサ３００から受信されるセンサ通知が示す開閉状態を確認するようにしてもよい。
【００３９】
また、上記の各実施形態では、警報装置２００は、窓の開閉状態に基づいて警報を発するか否か判断したが、扉センサが設置されている場合には、扉の開閉状態に基づいて警報を発するか否か判断する。
【００４０】
図７は、本発明による警報装置の主要部を示すブロック図である。図７に示すように、警報装置１（図１に示す警報装置２００に相当）は、室温調節用電気機器３１（図１に示すエアコン６００に相当）が設置された設置領域とその領域の外部である外部領域との間の閉鎖状態を解除する部位の開閉を検知する開閉検出装置２２（図１に示す窓センサ３００に相当）から受信される開放または閉鎖を示す信号と、室温調節用電気機器３１の消費電力量を計測する消費電力測定装置２１（図１に示す電力計測アダプタ４００に相当）から受信される消費電力量を示す消費電力情報とに基づいて警報出力手段１１（図２に示す警報表示部２０４および警報発報部２０５に相当）から警報を出力する。すなわち、消費電力測定装置２１から受信した消費電力情報に基づいて室温調節用電気機器３１の運転状態を判定して運転状態を示す信号を出力する運転状態判定部２（図２に示す運転状態判断部２０２に相当）と、開閉検出装置２２から開放を示す信号が受信され、かつ、運転状態判定部２が出力する運転状態を示す信号が運転中の状態を示している場合に、警報出力手段１１から警報を発することに決定する警報制御部３（図２に示す警報制御部２０６に相当）とを備えている。
【００４１】
また、上記の実施形態の警報システムには、以下の（１）〜（４）に示すような警報装置も示されている。
【００４２】
（１）警報制御部３が、開閉検出装置２２から開放を示す信号が受信されたときに、運転状態判定部２から運転状態を示す信号を入力するように構成されている警報装置。
【００４３】
（２）警報制御部３が、運転状態判定部２から運転状態を示す信号を入力したときに、開閉検出装置２２からの信号が開放を示しているか否か確認するように構成されている警報装置。
【００４４】
（３）警報制御部３が、開閉検出装置２２から所定時間（図２および図３に示すガードタイムに相当）継続して開放を示す信号が送信されていることを確認した場合に、警報を発することに決定するように構成されている警報装置。そのように構成された警報装置では、ユーザによる一時的な窓や扉の開放に起因して警報が発せられることが防止される。
【００４５】
（４）警報制御部３が、開閉検出装置２２から所定期間内に所定回開放を示す信号を受信した場合に、警報を発することに決定するように構成されている警報装置。そのように構成された警報装置では、ユーザが喚起等のために一旦窓を開放したようなときに警報が発せられることが防止される。
【図面の簡単な説明】
【００４６】
【図１】本発明による警報システムの第１の実施形態の構成を示すブロック図である。
【図２】図１に示された警報装置の構成を示すブロック図である。
【図３】図１に示された警報システムが警報を発する処理を示すフローチャートである。
【図４】電力しきい値の設定の一例を示す説明図である。
【図５】ガードタイマの動作の一例を示すフローチャートである。
【図６】本発明による警報システムの第２の実施形態の構成を示すブロック図である。
【図７】本発明による警報装置の主要部を示すブロック図である。
【符号の説明】
【００４７】
１      警報装置
２      運転状態判定部
３      警報制御部
１１    警報出力手段
２１    消費電力測定装置
２２    開閉検出装置
１０    警報システム
１００，１０１  警報システム
２００  警報装置
２０１  センサ通知検知部
２０２  運転状態判断部
２０２１  消費電力情報収集部
２０２２  電力しきい値設定部
２０３  ガードタイマ
２０４  警告表示部
２０５  警報発報部
２０６  警報制御部
３００  窓センサ
４００  電力計測アダプタ
５００  窓
６００  エアコン
７００  電気ストーブ
【図１】
2010139099.tif 000003
【図２】
2010139099.tif 000004
【図３】
2010139099.tif 000005
【図４】
2010139099.tif 000006
【図５】
2010139099.tif 000007
【図６】
2010139099.tif 000008
【図７】
2010139099.tif 000009